(57)【要約】【課題】室外機における電力消費を無くし、また、室外機の各回路の部品の長寿命化を図ることのできる空気調和機を提供する。【解決手段】室外機２の制御回路２３は、室内機１から受信した運転モードと温度情報を基に圧縮機停止条件であるか否かを判定し、圧縮機停止条件であったときには圧縮機２５を停止すると共に、圧縮機停止情報を通信回路２４から室内機１へ送信し、室内機１の制御回路１４は、圧縮機停止情報が受信されたときにリレースイッチ１３をオフして商用電源５と室外機２との接続を遮断する。【選択図】図１
2011163675.tif 000002
【特許請求の範囲】
【請求項１】
外部電源と接続され、室内の温度を検出する温度センサーを有し、現在設定されている運転モードと前記温度センサーにより検出された温度を送信する室内機と、
前記室内機に電源線を介して接続され、圧縮機を有し、前記室内機からの運転モードと温度に基づいて前記圧縮機を制御する室外機と、
前記室内機に設けられ、外部電源から電源線を介して前記室外機に供給される電力を入り切りするための開閉手段とを備え、
前記室外機は、前記室内機から受信した運転モードと温度を基に圧縮機停止条件であるか否かを判定し、圧縮機停止条件であったときには前記圧縮機を停止すると共に、前記室内機へ圧縮機停止情報を送信し、
前記室内機は、圧縮機停止情報が受信されたときに前記開閉手段を制御して外部電源と前記室外機との接続を遮断することを特徴とする空気調和機。
【請求項２】
前記室内機は、外部電源と前記室外機との接続を遮断したときに、前記温度センサーにより検出された温度を基に圧縮機復帰条件を満たしたか否かを判定し、温度から圧縮機復帰条件を満たしていると判定したときには前記開閉手段を制御して、外部電源の電力を電源線を介して前記室外機に供給することを特徴とする請求項１記載の空気調和機。
【発明の詳細な説明】
【技術分野】
【０００１】
本発明は、空気調和機の制御に関するものである。
【背景技術】
【０００２】
従来、室内機と室外機とが停止状態にある場合、室外機への給電を完全に遮断しているが、室内機と室外機とが共に運転状態で、室外機の圧縮機が停止状態となった場合でも、室外機から室内機に圧縮機復帰信号を送信できるように室外機への給電は行われたままとなっている（例えば、特許文献１参照）。
【先行技術文献】
【特許文献】
【０００３】
【特許文献１】特開平１−３０６７５７号公報（第３頁、図１）
【発明の概要】
【発明が解決しようとする課題】
【０００４】
前述した従来の空気調和機では、圧縮機が停止状態であっても室外機への給電は行われたままとなっているため、室外機の電源回路、制御回路、通信回路などにより電力が消費されており、電源印加による各回路の部品が劣化するという課題があった。
本発明は、前記のような課題を解決するためになされたもので、室外機における電力消費を無くし、また、室外機の各回路の部品の長寿命化を図ることのできる空気調和機を得ることを目的とする。
【課題を解決するための手段】
【０００５】
本発明に係る空気調和機は、外部電源と接続され、室内の温度を検出する温度センサーを有し、現在設定されている運転モードと温度センサーにより検出された温度を送信する室内機と、室内機に電源線を介して接続され、圧縮機を有し、室内機からの運転モードと温度に基づいて圧縮機を制御する室外機と、室内機に設けられ、外部電源から電源線を介して室外機に供給される電力を入り切りするための開閉手段とを備え、室外機は、室内機から受信した運転モードと温度を基に圧縮機停止条件であるか否かを判定し、圧縮機停止条件であったときには圧縮機を停止すると共に、室内機へ圧縮機停止情報を送信し、室内機は、圧縮機停止情報が受信されたときに開閉手段を制御して外部電源と室外機との接続を遮断する。
【発明の効果】
【０００６】
本発明によれば、室外機は、室内機から受信した運転モードと温度を基に圧縮機停止条件であるか否かを判定し、圧縮機停止条件であったときには圧縮機を停止すると共に、室内機へ圧縮機停止情報を送信する。一方、室内機は、圧縮機停止情報が受信されたときに開閉手段を制御して外部電源と室外機との接続を遮断する。これにより、室外機への電力供給は完全に遮断され、このため、消費電力を抑えることができ、さらに、室外機の通電時間が短くなることによって室外機の部品の長寿命化を図ることができる。
【図面の簡単な説明】
【０００７】
【図１】実施の形態に係る空気調和機の回路構成を示すブロック図である。
【図２】図１に示す室内機の動作を示すフローチャートである。
【図３】図１に示す室外機の動作を示すフローチャートである。
【図４】実施の形態における圧縮機停止条件および圧縮機復帰条件の内容を運転モードに応じて示す図である。
【発明を実施するための形態】
【０００８】
図１は実施の形態に係る空気調和機の回路構成を示すブロック図である。
図１において、空気調和機は、建物の室内に設置される室内機１と、建物の屋外に設置される室外機２とで構成される。室内機１と室外機２は、それぞれに設けられた室内機端子台１１と室外機端子台２１に接続された電源線３および通信線４により電気的に繋がっている。
【０００９】
室内機１は、外部電源である商用電源５と接続される電源回路１２と、室内機端子台１１と電源回路１２との間の電源線３の一方の線に挿入された開閉手段である例えばリレースイッチ１３と、室内機１を制御する制御回路１４と、室内の温度を検出し温度情報として制御回路１４に送る温度センサー１５と、空気調和機の使用者によってリモコンから送られたリモコン信号を受信し制御回路１２に送るリモコン信号受信部１６と、室外機２とで双方向通信を行う通信回路１７とを備えている。なお、開閉手段としてリレースイッチ１３を用いたことを述べたが、これに代えてフォトトライアックカプラを用いても良い。
【００１０】
室内機１の制御回路１４は、現在設定されている運転モードと温度センサー１５により検出された室内の温度情報を送信する。運転モードと温度情報は、所定時間毎に送信される。また、前述の制御回路１４は、後述する圧縮機停止情報が受信されたときにはリレースイッチ１３をオフして商用電源５と室外機２との接続を遮断する。また、制御回路１４は、商用電源５と室外機２との接続を遮断したときには、温度センサー１５により検出された温度情報を基に圧縮機復帰条件を満たしたか否かを判定し、温度情報から圧縮機復帰条件を満たしていると判定したときにはリレースイッチ１３をオンして商用電源５の電力が電源線３を介して室外機２に供給されるようにする。
【００１１】
室外機２は、室内機１に接続された商用電源５からリレースイッチ１３、電源線３を経由して電力を受け取る電源回路２２と、室外機２を制御する制御回路２３と、制御回路２３によって制御される圧縮機２５と、室内機１とで双方向通信を行う通信回路２４とを備えている。室外機２の制御回路２３は、室内機１から受信した運転モードと温度情報を基に圧縮機停止条件であるか否かを判定し、圧縮機停止条件であったときには圧縮機２５を停止すると共に、室内機１へ圧縮機停止情報を送信する。
【００１２】
次に、実施の形態に係る空気調和機の動作について図２乃至図４を用いて説明する。図２は図１に示す室内機の動作を示すフローチャート、図３は図１に示す室外機の動作を示すフローチャート、図４は実施の形態における圧縮機停止条件および圧縮機復帰条件の内容を運転モードに応じて示す図である。
【００１３】
室内機１および室外機２が停止状態のときには、商用電源５からの電力が室内機１の電源回路１２に供給されており、電源回路１２によって、制御回路１４、リモコン信号受信部１６および通信回路１７の動作に必要な直流電力に変換され、それぞれに供給されている。一方、室外機２側は、室内機１の制御回路１４の制御によるリレースイッチ１３のオフにより、商用電源５からの電力供給が遮断された状態となっている。
【００１４】
この状態において、空気調和機の使用者がリモコンで運転信号をリモコン信号受信部１７に入力した場合、室内機１の制御回路１４は、図２に示すように、その信号に基づいて室内機１の運転を開始し（Ｓ１１）、圧縮機２５の保護のために所定時間（例えば３分）経過後にリレースイッチ１１３をオンし、室外機２への電力供給を開始する（Ｓ１２）。リレースイッチ１２のオフにより、商用電源５からリレースイッチ１３、電源線３を介して室外機２の電源回路２２へ交流電力が供給される。室外機２の電源回路２２は、交流電力が供給されると、制御回路２３および通信回路２４の動作に必要な直流電力に変換してそれらに供給し、動作可能な状態にする。この時、通信回路２４は、室内機１の通信回路１７との通信を開始し、制御回路２３は、圧縮機２５の運転を開始する（Ｓ２１）。
【００１５】
室内機１と室外機２とがリモコンによって設定された運転モード（冷房運転、暖房運転等）で運転されると、室内機１の制御回路１４は、温度センサー１５を介して室内の温度情報を取得し（Ｓ１３）、リモコンによって設定された運転モードと共に通信回路１７から通信線４を介して室外機２に送信する（Ｓ１４）。その後、制御回路１４は、圧縮機停止情報が受信されたか否かを判定し（Ｓ１５）、圧縮機停止情報の受信を検知したときにはＳ１６に移行するが、その情報が受信されていないと判定したときには、Ｓ１３に戻って前述した動作を繰り返す（Ｓ１３〜Ｓ１５）。
【００１６】
一方、室外機２の制御回路２３は、運転モードと温度情報が通信回路２４を介して受信されると（Ｓ２２）、室内機１から得た運転モードおよび温度情報を基に圧縮機停止条件であるか否かを判定する（Ｓ２３）。ここで、圧縮機停止条件とは、図４に示すように、運転モードが冷房運転の場合、温度センサー１６により取得した温度情報がリモコン操作により設定された室内の設定温度よりも極端に低くなったときであり、また、運転モードが暖房運転の場合は、温度センサー１６により取得した温度情報がリモコン操作にて設定された室内の設定温度よりも極端に高くなったときである。
【００１７】
室外機２の制御回路２３は、Ｓ２３において、運転モードと温度情報とから圧縮機停止条件でないと判定したときには、Ｓ２２に戻って室内機１からの運転モードと温度情報を受信し、圧縮機停止条件を満たしたか否かを判定する（Ｓ２３）。制御回路２３は、そのＳ２２，Ｓ２３の動作を繰り返し行っているうちに圧縮機停止条件であると判定したときには圧縮機２５の運転を停止し（Ｓ２４）、次いで、圧縮機２５の停止を知らせる圧縮機停止情報を通信回路２４から通信線４を介して室内機１へ送信する（Ｓ２５）。
【００１８】
室内機１の制御回路１４は、運転モードと温度情報を室外機２に繰り返し送信しているときに、Ｓ１５において圧縮機停止情報の受信を検知すると、リレースイッチ１３をオフし、室外機２への電力供給を停止する（Ｓ１６）。その後、制御回路１４は、温度センサー１５を介して室内の温度情報を取得し（Ｓ１７）、その温度情報を基に圧縮機復帰条件であるか否かを判定する（Ｓ１８）。ここで、圧縮機復帰条件とは、図４に示すように、運転モードが冷房運転であるとき、温度センサー１５により取得した温度情報がリモコン操作にて設定された室内の設定温度よりも高く、かつ圧縮機保護のために圧縮機停止情報を受け取った時点から所定時間（例えば３分）以上経過した場合であり、また、運転モードが暖房運転のときには、温度センサー１５により取得した温度情報がリモコン操作により設定された室内の設定温度よりも低く、かつ圧縮機停止情報から所定時間（例えば３分）以上経過している場合である。
【００１９】
室内機１の制御回路１４は、Ｓ１８において、温度情報から圧縮機復帰条件でないと判定したときには、Ｓ１７に戻って温度センサー１５から室内の温度情報を取得し、圧縮機復帰条件を満たしたか否かを判定する（Ｓ１８）。制御回路１４は、そのＳ１７，Ｓ１８の動作を繰り返し行っているうちに圧縮機復帰条件であると判定したときには、Ｓ１２に戻ってリレースイッチ１３をオンし、室外機２への電力供給を開始する。
【００２０】
以上のように実施の形態によれば、室内機１の制御回路１２は、室外機２の制御回路２３により圧縮機２５が停止されると、リレースイッチ１３をオフして室外機２への電力供給を停止するようにしているので、室外機２側の電力消費を低減できる。また、その分、室外機２の各回路２２，２３，２４への通電時間が短くなり、電子部品の長寿命化を図ることができる。
【符号の説明】
【００２１】
１  室内機、２  室外機、３  電源線、４  通信線、５  商用電源、１１  室内機端子台、１２  電源回路、１３  リレースイッチ、１４  制御回路、１５  温度センサー、
１６  リモコン信号受信部、１７  通信回路、２１  室外機端子台、２２  電源回路、
２３  制御回路、２４  通信回路、２５  圧縮機。
【図１】
2011163675.tif 000003
【図２】
2011163675.tif 000004
【図３】
2011163675.tif 000005
【図４】
2011163675.tif 000006